(57)【要約】【課題】機械、殊に工作機械および／または加工機械の制御を、個々の駆動部の結合に関して容易にすること【解決手段】複数の駆動部を備えた機械を制御する方法であって、当該複数の駆動部の各駆動部を制御し、当該駆動部のうちの１つは第１のリード駆動部であり、当該駆動部のうちの１つは第２のリード駆動部であり、当該駆動部のうちの少なくとも１つは従属駆動部であり、当該従属駆動部を、前記第１のリード駆動部に特徴的な少なくとも１つのパラメータＭ１と、前記第２のリード駆動部に特徴的なパラメータＭ２とに依存して制御し、前記従属駆動部の制御に特徴的な制御パラメータＬｖを、前記第１のパラメータＭ１と前記第２のパラメータＭ２の数学的な結合Ｆｖによって求める方法において、前記数学的な結合Ｆｖを自由に定めることができる、ことを特徴とする方法。【選択図】図１
2013031918.tif 000002
【特許請求の範囲】
【請求項１】
複数の駆動部（２，４，６，８，１６，２４）を備えた機械を制御する方法であって、当該複数の駆動部の各駆動部を制御し、前記複数の駆動部のうちの１つ（４，６，８）は第１のリード駆動部であり、前記複数の駆動部のうちの１つ（４，６，８）は第２のリード駆動部であり、前記複数の駆動部のうちの少なくとも１つ（１６）は従属駆動部であり、当該従属駆動部を、前記第１のリード駆動部（４，６，８）に特徴的な少なくとも１つのパラメータＭ１と、前記第２のリード駆動部（４，６，８）に特徴的なパラメータＭ２とに依存して制御し、前記従属駆動部（１６）の制御に特徴的な制御パラメータＬｖを、前記第１のパラメータＭ１と前記第２のパラメータＭ２の数学的な結合Ｆｖによって求める方法において、
前記数学的な結合Ｆｖを自由に定めることができる、
ことを特徴とする方法。
【請求項２】
前記リード駆動部（４，６，８）に特徴的な少なくとも１つのパラメータ（Ｍ１，Ｍ２）を所定の補間周期で繰り返し検出する、請求項１記載の方法。
【請求項３】
前記リード駆動部（４，６，８）に特徴的な全てのパラメータを同じ所定の補間周期で繰り返し検出する、請求項２記載の方法。
【請求項４】
少なくとも１つのパラメータは、駆動部の位置である、請求項１から３までの少なくとも１項記載の方法。
【請求項５】
前記制御パラメータＬｖを求めるために、前記特徴的なパラメータ（Ｍ１，Ｍ２）に依存しない、付加的に測定可能な量を使用する、請求項１から４までの少なくとも１項記載の方法。
【請求項６】
前記測定可能な量を量のグループから選択し、当該グループは、温度、気圧、摩耗を表す値等を含んでいる、請求項５記載の方法。
【請求項７】
前記数学的な結合Ｆｖは、ユーザーによって変更可能である、請求項１記載の方法。
【請求項８】
複数の数学的結合を、前記機械の制御に使用する、請求項１から７までの少なくとも１項記載の方法。
【請求項９】
前記制御パラメータＬｖ並びにさらなる結合を使用して、さらなる駆動部のさらなる制御パラメータを求める、請求項１から８までの少なくとも１項記載の方法。
【請求項１０】
前記機械は、ワークピース１０、殊に歯車を製造するおよび／または加工する機械である、請求項１から９までの少なくとも１項記載の方法。
【請求項１１】
３つ以上のリード駆動部を設け、当該リード駆動部の特徴的なパラメータを、前記制御パラメータＬｖを求めるために数学的な結合によって結合する、請求項１から１０までの少なくとも１項記載の方法。
【請求項１２】
少なくとも１つの第１の駆動部（２，４，６，８，１６，２４）と、少なくとも１つの第２の駆動部（２，４，６，８，１６，２４）と、前記駆動部を制御する少なくとも１つの制御装置（３０）と、結合モジュールＣｖとを備えた機械（１）であって、前記複数の駆動部のうちの少なくとも２つ（４，６，８）はリード駆動部であり、前記複数の駆動部のうちの少なくとも１つ（１６）は従属駆動部であり、前記結合モジュールは、前記従属駆動部（１６）を、前記リード駆動部（４，６，８）に特徴的な、その時々の少なくとも１つのパラメータ（Ｍ１，Ｍ２）に依存して制御し、前記従属駆動部（１６）の制御に特徴的な制御パラメータＬｖは、前記第１のパラメータＭ１と前記第２のパラメータＭ２との数学的な結合Ｆｖによって求められる装置において、
前記数学的な結合Ｆｖは自由に定められる、
ことを特徴とする装置。
【発明の詳細な説明】
【技術分野】
【０００１】
本発明は、複数の駆動部を有する機械を制御する方法に関する。本発明は、歯車を製造または加工する機械に関連して記載されているが、本発明は別の機械にも、オートメーション技術の別の領域、例えばＣＮＣ機械にも使用可能である。しかし本発明は一般的に、Ｒｏｂｏｔｉｃ、ＭｏｔｉｏｎおよびＳＰＳ等の領域にも使用可能であることに留意されたい。しかし製造および／または加工のための使用、殊に特別な問題を抱えている歯車等の製品の切削加工のための使用が有利である。
【背景技術】
【０００２】
このような機械は通常、複数の駆動部ないしは軸を有している。これらは、別の軸のその時々の位置を考慮して制御されなければならない。例えば、ＥＰ１３１９４５７号は、実質的に円筒状の、内側または外側に歯が設けられる歯車を切削加工するための方法を開示している。この方法では、ワークピースが加工機械上に正確には配向されていない、という事情が考慮されるべきである。ここでは複数の座標によって、歯車ガイド軸が特定される。固定された補正値をベースにして、中心から外れているワークピースの加工が行われる。この方法では、中心に固定されていない歯車の補償は、拡張された四則演算並びに円関数によって行われる。
【０００３】
ＥＰ１３１９４５７Ｂ１の構成要件は、広い範囲で、本願の構成要件に関連している。
【０００４】
ＤＥ３７１２４５４Ａ１号は、部分回転方法における加工時に、ワークピースが偏心して固定されていることによって生じる、ギヤ歯形成時エラーを補償する方法を開示している。この方法においても、ローラー運動に対する特定の付加運動が、所定の数学的関係を用いて求められる。
【０００５】
さらに従来技術から、複数の駆動部が結合されて、各結合結果が所定の補間周期で求められ、付加的に、各補間周期においてこの結合結果が後から、プログラミング可能な計算によって修正されることが知られている。殊にカスケード結合の場合、すなわちある駆動部が別の駆動部に依存して制御され、付加的な駆動部が同様に、既に制御されているこの駆動部に依存して制御される機械の場合には、ユーザーによる補償はしばしば手間をかけて、既存の規則な結合をシミュレーションしなければならない、または補間周期ぶんだけ古くなった値を計算の対象にしなければならない。
【先行技術文献】
【特許文献】
【０００６】
【特許文献１】ＥＰ１３１９４５７Ｂ１号
【特許文献２】ＤＥ３７１２４５４Ａ１号
【発明の概要】
【発明が解決しようとする課題】
【０００７】
本発明の課題は、機械、殊に工作機械および／または加工機械の制御を、個々の駆動部の結合に関して容易にすることである。
【０００８】
本発明は殊に、歯車を加工する加工機械において、歯車が正確に固定されていない場合、殊に中心から外れて、計画通りに固定されていない場合に、加工を改善するために用いられる。殊にここでは、揺動補償が加工結合と重なり合う。
【課題を解決するための手段】
【０００９】
上述の課題は、複数の駆動部を備えた機械を制御する方法であって、当該複数の駆動部の各駆動部を制御し、前記複数の駆動部のうちの１つは第１のリード駆動部であり、前記複数の駆動部のうちの１つは第２のリード駆動部であり、前記複数の駆動部のうちの少なくとも１つは従属駆動部であり、当該従属駆動部を、前記第１のリード駆動部に特徴的な少なくとも１つのパラメータＭ１と、前記第２のリード駆動部に特徴的なパラメータＭ２とに依存して制御し、前記従属駆動部の制御に特徴的な制御パラメータＬｖを、前記第１のパラメータＭ１と前記第２のパラメータＭ２の数学的な結合Ｆｖによって求める方法において、前記数学的な結合Ｆｖを自由に定めることができる、ことを特徴とする方法、および、少なくとも１つの第１の駆動部と、少なくとも１つの第２の駆動部と、前記駆動部を制御する少なくとも１つの制御装置と、結合モジュールＣｖとを備えた機械であって、前記複数の駆動部のうちの少なくとも２つはリード駆動部であり、前記複数の駆動部のうちの少なくとも１つは従属駆動部であり、前記結合モジュールは、前記従属駆動部を、前記リード駆動部に特徴的な、各少なくとも１つのパラメータに依存して制御し、前記従属駆動部の制御に特徴的な制御パラメータＬｖは、前記第１のパラメータＭ１と前記第２のパラメータＭ２との数学的な結合Ｆｖによって求められる装置において、前記数学的な結合Ｆｖは自由に定められる、ことを特徴とする装置によって解決される。有利な実施形態および発展形態は従属請求項に記載されている。
【図面の簡単な説明】
【００１０】
【図１】歯車を加工する機械の概略図
【図２】従来技術による結合モジュールの図
【図３】本発明による結合モジュールの図
【発明を実施するための形態】
【００１１】
複数の駆動部を備えた機械を制御する本発明の方法では、これらの各駆動部が制御され、これらの駆動部のうちの１つが第１のリード駆動部であり、これらの駆動部のうちの別の１つが第２のリード駆動部であり、これらの駆動部のうちの少なくとも１つが従属駆動部である。ここでこの従属駆動部は、第１のリード駆動部に特徴的なパラメータ（ないしは（リード）値）と、第２のリード駆動部に特徴的なパラメータ（ないしは（リード）値）とに依存して制御され、従属駆動部のこの制御に特徴的な制御パラメータ（ないしは制御（リード）値）が、この第１のパラメータと第２のパラメータとの数学的なおよび／または論理的な結合によって求められる。本発明では、この数学的な結合を自由に定めることができる。
【００１２】
上述の駆動部は任意の駆動部であってよく、これは殊に、電動式の回転駆動部またはリニヤ駆動部である。本発明の方法によっては、例えば工具とワークピース担体軸の、加工幾何学に必要な運動基準が求められる。この算出はここで有利には不連続に、特に有利には短い時間間隔で、以降で補間周期と称される周期で行われる。
【００１３】
従来技術では、このような結合は通常、線形の結合法則によってあらわされる。これに従って、従属駆動部ないしは従属軸に対する総合的なリード値が、リード軸位置から次のように形成される：
【数１】
2013031918.tif 000003
【００１４】
ここでＮはリード軸の数であり、Ｐｉはリード軸ｉの位置であり、ｆｉは結合ファクタであり、Ｏｉはシフト値である。
【００１５】
非線形の関係の場合には、多くの場合に付加的にテーブルＴｉが個別リード値に対する結合法則内に組み込まれる：
【数２】
2013031918.tif 000004
【００１６】
短かくするために以降では個別リード値
【数３】
2013031918.tif 000005
が使用される。
【００１７】
従来技術では通常、従属値、すなわち上述の制御パラメータを求めるために、これらの個別リード値が合算される。
【００１８】
有利には、複数のこのような特徴的なパラメータが使用され、または例えば１つの全体的なパラメータセットも使用される。複数の従属パラメータを出力することも可能である。
【００１９】
有利には、パラメータの算出はリアルタイムで行われ、制御パラメータも周期に合わせて算出され、有利には、各従属駆動部に相応に設定される。
【００２０】
有利にはこの方法は、機械に対するワークピースの（エラー）配向を補償するために使用される。
【００２１】
別の有利な方法では、特徴的なパラメータは、時間に依存したパラメータである。これは殊に所定の補間周期で求められる、ないしは問い合わせされる。
【００２２】
従って、従来技術において関数として構成されている個別リード値「Ｎｉ」の結合は、一般的かつ殊に、ユーザーによって自由に規定可能な計算規則「Ｆｖ」と置き換えられる。従って、個別のリード値「Ｎｉ」を相互に結合するための規則は、ユーザーによって自由に設定可能である。計算規則を周期毎に変えることも可能である。このような変化をユーザーによって設定することもできる。従って、関係を部分的に規定することもできる。
【００２３】
別の有利な方法では、少なくとも１つの特徴的なパラメータが所定の補間周期で繰り返し、検出される。この場合には例えばミリ秒毎に、パラメータが問い合わされ、相応の制御パラメータが求められる。
【００２４】
別の有利な方法では、リード駆動部に対する全ての特徴的なパラメータが、等しく設定された補間周期で繰り返し、検出される。１つまたは複数の制御パラメータも、同じ補間周期で求められる、ないしは出力される。
【００２５】
別の有利な方法では、少なくとも１つのパラメータは駆動部の位置である、またはこの駆動によって操作されるまたは動かされる部材の位置でもある。殊にこれは、リード軸の位置である。さらにこれは、仮想軸の位置であってもよい。
【００２６】
これによって、特定の結合モジュールないしは結合に数学的な式が割り当てられる。この式は有利には各補間周期で、新たなリード値ないしは制御パラメータを求める。この式はここでマイクロプログラムとして、結合モジュールによって処理される。さらにカスケード制御時には、１つのカスケード内の結果を、直接的に、後続の結合モジュール内でさらに、精算することも可能である。
【００２７】
殊に、複雑な結合カスケードにおける数学分析的な結合関係の場合には、ユーザーはここにコンパクトかつ明快な式を、高いないしは絶対的な精度で組み込むことができる。関数近似のための手間のかかる表作成も不必要である。このようにして、連鎖補償も容易に実現される。
【００２８】
別の有利な方法では、制御パラメータを求めるために付加的に、測定可能な量が使用される。これは有利には特徴的なパラメータには依存しない。従って、外部の量、例えば温度、摩耗等に関する測定データを式計算に取り入れることができる。このような複数の測定可能な量を使用することもできる。
【００２９】
ここで有利には、これらの測定可能な量が量のグループから選択される。これは、温度、気圧、空気湿度、摩耗を表すデータ、例えば特定の部品の年数およびこれらの組み合わせ等を含む。
【００３０】
有利には数学的な結合は、殊にユーザーによって変えられる。
【００３１】
別の有利な方法では、複数のこのような数学的な結合ないしは結合モジュールが制御のために使用される。ここで、種々の数学的な結合を使用することが可能である。ここでこれらの結合のうちの少なくとも１つは自由に選択可能であり、有利には複数のこれらの結合は自由に選択可能であり、特に有利にはこれらの結合の全てが自由に選択可能である。上述した結合はここで、総計形成、差分形成、平均値形成、円関数、指数関数またはこれらの組み合わせ等からなる。
【００３２】
従って例えば、２つの駆動部を設定された第１の方式で結合し、別の２つの駆動部を設定された第２の方式で結合し、場合によっては次に、ここから生じた従属パラメータを再び別の結合規則で相互に結合することができる。
【００３３】
別の有利な方法では、制御パラメータ並びに別の結合を用いて、別の駆動部の別の制御パラメータが求められる。従って例えば、上述したように、まずは２つの駆動部ないしはその運動を或る所定の方式で結合し、相応する従属値を同様に別の値と結合して、別の駆動部に対する別の制御パラメータを得ることができる。このようにしてカスケード制御が行われる。このようなカスケードを継続し、連続して多数回、結合を行うことも可能である。
【００３４】
別の有利な方法では、機械は、歯車を製造および／または加工するための機械である。殊にこの方法は、例えばエラーを有するまたは偏差を有する、機械に対するワークピースの位置付けに対処する、ないしはこのようなエラーを補償するために用いられる。一般的にこの機械は、殊にワークピースを切削加工するための機械である。有利には、加工されるべきワークピースが、機械に対して所定の位置に配置される。
【００３５】
別の有利な方法では、少なくとも３つ、有利には少なくとも４つ、特に有利には少なくとも５つのリード駆動部が設けられている。これらのリード駆動部の特徴的なパラメータは、制御パラメータを求めるための１つまたは複数の数学的な結合によって、結合される。上述のように、ここで複数の数学的な結合も並列にまたは、直列に使用される。
【００３６】
本発明はさらに、機械、殊に、ワークピースを加工するための加工機械に関する。この加工機械は、第１の駆動部と少なくとも１つの第２の駆動部、並びに、これらの駆動部を制御するための少なくとも１つの制御装置を有している。ここで、これらの駆動部のうちの少なくとも２つはリード駆動部であり、これらの駆動部のうちの少なくとも１つは従属駆動部である。さらに結合モジュールが設けられている。この結合モジュールは、従属駆動部を、少なくとも１つの、リード駆動部に特徴的な各パラメータに依存して制御する。ここで、従属駆動部の制御のための特徴的な制御パラメータは、第１のパラメータと第２のパラメータの数学的な結合によって求められる。本発明ではここで、この数学的な結合が自由に定められる。
【００３７】
有利な実施形態ではこの装置は、１つまたは複数のリード駆動部に特徴的なパラメータを検出する、１つないしは複数の検出装置を有している。この検出装置は例えばロータリーエンコーダーであるが、この検出装置がその時々の特徴パラメータを計算で求めてもよい。
【００３８】
別の有利な実施形態では、この装置はさらに、外部パラメータを検出する検出装置を有する。これは例えば温度測定装置、圧力測定装置等である。
【００３９】
別の有利な実施形態では、この装置は当接部材および／または当接面を有しており、ここに、加工されるべきワークピースが置かれる。さらに、有利には、位置検出装置も設けられる。これは、機械に対するワークピースの幾何学的位置を検出する。
【００４０】
有利にはユーザーには、多数の可能な結合が与えられ、ユーザーはこれらの結合に基づいて、該当する結合を選択することができる。しかし、プロセッサー装置を用いて、例えば経験値に基づいて自動的に特定の結合が選択されてもよい。
【００４１】
さらなる利点および実施形態が、添付の図面から読み取れる。
【実施例】
【００４２】
図１は、歯車１０を加工する機械１の概略図を示している。この機械は例えばホブ盤または創作歯形研削で使用される。製造されるべきまたは加工されるべき歯車１０はここで担体２２上に固定して配置されており、この担体は回転可能である。ここでこの回転運動は、（概略的にのみ示されている）駆動部１６によって生成される。従って、加工されるべきワークピースを、所定の回転軸を中心に回転させる駆動部１６が設けられている。
【００４３】
加工のために、ここでは螺旋状の工具２０と、形成されるべき歯車１０とによって、ウォームギヤがシミュレートされる。この工具はここで工具担体１４上に配置されており、概略的にのみ示されている駆動部２４によって駆動される。従って有利には、ワークピースを加工する工具２０も、所定の回転軸を中心に回転する。
【００４４】
歯のエッジを形成するために、および均一に工具を使用するためにさらなる軸が必要である。工具の、歯車への正確なコンタクト点は、工具担体２２の運動学的に連鎖している軸位置Ｘ，Ｙ，Ｚ，Ａおよび回転方向における工具２０の位置および回転方向における歯車未加工鋳造部材１０の位置から得られる。
【００４５】
上述した方向Ｘ，Ｙ，Ｚ，Ａにおける工具担体１４の位置はここで、概略的にのみ示されている駆動部２，４，６および８によってのみ始動される、ないしは調整される。
【００４６】
歯車位置Ｃないしは属する駆動部１６の位置は、簡単なケースでは、軸Ａ，ＹおよびＺの線形の結合関数として特定される。ＣＮＣ制御部は、この結合関数を用いて、離散的な時間間隔で−補間周期−で、必要な歯幾何学形状のための駆動部４，６，８の正確な軸位置ないしは位置を特定する。ＣＮＣ制御部は、ワークピース軸位置Ｃを特定するために、結合モジュールを使用する。結合関数は、結合モジュールを介して決められる。しかしワークピースが中心に固定されていない場合には、結合関数は、非線形の成分を含む。これは本発明によって考慮される。ここで、特定の歯幾何学形状が設定され、この歯の幾何学的形状が、個別の軸位置を求める際にも考慮される。
【００４７】
従ってこの場合には、例えば駆動部４、６および８はリード駆動部であり、その各位置から、従属駆動部１６の位置、ひいては歯車１０の位置が得られる。運動Ｘ、Ｙ、Ｚはここでそれぞれ、相応の方向における線形運動であり、運動Ａは工具担体１４の旋回運動である。工具を駆動させる駆動部２４の位置も、さらに考慮される。
【００４８】
有利には工具２０を駆動させる駆動部２４は、リード駆動部（ないしはリード軸）である。ここでは機械１は有利には次のように制御される。すなわち、工具２０も回転する場合のみ、歯車が回転するように制御される。別の駆動部２，４，６は有利には、歯のエッジを形成する工具２０の駆動部２４に重なる。
【００４９】
参照番号３０は、装置１を制御する制御装置を示している。制御装置３０はここで、駆動部１６も、駆動部２，４，６，８に依存して制御する。別の駆動部、例えば駆動部１６を、リード駆動部として定めることも可能であり、各従属駆動部（例えば歯車１０の非対称固定時の駆動部２）の計算が、変化した結合モジュールをベースにして行われる。
【００５０】
この目的のために、個々の駆動部は位置検出装置も有することができる。これは、駆動部、ないしは例えば工具担体の位置を検出する。（概略的にのみ示されている）位置検出装置を設けることもできる。これは、駆動部１６の位置または、ワークピース１０の正確な幾何学的位置も検出する。自身の担体２２に対するワークピース１０の位置を検出する位置検出装置３４を設けることもできる。このようにして、ワークピースが担体２２に対して中央に固定されているか否かが確認され、さらに有利には、担体２２に対するワークピース１０の相応の位置付けエラーも検出され、有利には考慮される（これは殊に制御装置３０によって行われる）。
【００５１】
図２ａ−２ｂは、従来技術による方法を概略的に示している。ここで略語Ｃｖは結合モジュールをあらわしている。この結合モジュールは、リード駆動部ないしはリード軸の結合を行う。図２ａに示されている場合には、個々のリード値Ｍ１（ｔ）・・・・Ｍｎ（ｔ）が合算され、制御パラメータないしは制御値Ｌｖ（ｔ）が生じる。これらの値ないしはパラメータがそれぞれ時間に依存していることが分かる。
【００５２】
結合モジュールＣｖはここで、複数の入力位置を処理して、補間周期における新たな従属軸位置にする。従って、入力側位置と出力側位置との間の正確な関係が生じる。
【００５３】
図２ｂに示されているように、この制御値Ｌｖ（ｔ）は同じように、さらなる結合モジュールＣｖ＋１に対する入力として使用される。従って結合カスケードが生じる。しかし実際には、従来技術で使用されている、リード値の加法計算は、例えば歯車加工の場合に生じるような複雑な補償の場合、充分ではないことが判明している。さらなる四則演算ぶんの拡張もしばしば充分ではない。
【００５４】
図３は相応に、数学分析的に表すことができる結合関係のために、個々のリード値Ｍ１（ｔ）・・・・Ｍｎ（ｔ）を結合する結合モジュールＣｖの本発明による構成を示している。計算規則「＋」はここでは一般的に、殊にユーザーによって定められる計算規則Ｆｖと置き換えられる。
【００５５】
ここでは、機械を制御するために、図３に示された複数の結合モジュールＣｖを使用することもできる。
【００５６】
計算規則Ｆｖを各結合モジュールＣｖに対して別個に定めることができる。上述したように、計算規則が変化しても、または計算規則が段階ごと定められていてもよい。計算規則が、リード値Ｍ１（ｔ）・・・・Ｍｎ（ｔ）に依存していてもよい。従って例えば特定の限界値までのリード値に対して第１の計算規則が使用され、この限界値からのリード値に対して別の計算規則が使用される。計算規則は個別値Ｍｉを結合して、従属軸リード値Ｌｖにする：
【数４】
2013031918.tif 000006
【００５７】
計算規則Ｆｖに対してユーザーには、一連の単項演算（ｓｉｎ，ｃｏｓ，ｖ等）および二項演算（「＋」、「−」、「＊」等）が使用可能に供給される。
【００５８】
Ｌｖを求めるための計算規則（４）は、有利には数学的に通常のシンタックス形状で形成される：ここでこの計算規則は、リード値Ｍ１（ｔ）・・・・Ｍｎ（ｔ）と、その時々の単項演算または二項演算から成る。この他の、定数も使用可能である。
【００５９】
計算規則Ｆｖの例は：
【数５】
2013031918.tif 000007
【数６】
2013031918.tif 000008
である。
【００６０】
各補間周期において、有利には全ての結合モジュールの全ての計算規則が、結合カスケードに相応に再帰的に処理される。この他に、論理的な結合も使用可能である。これは例えばＡＮＤ結合であり、例えば、Ｍ１が第１の所定の値をとり、かつＭ２が第２の所定の値をとる場合にのみ、従属軸ガイド値Ｌｖを特定の値に加えるという指示である。
【００６１】
本発明によって、各仮想の従属軸および実際の従属軸に対して、明確な数学的結合法則を使用することが可能になる。
【００６２】
このようにして、ユーザーは、数学分析的に特定可能な結合法則を直接的にプログラミングすることができる。しかもこれを表でシミュレートする必要はない。パラメータ変更時の手間のかかる表作成が省かれる。
【００６３】
より複雑な計算式Ｆｖによって、多くの場合には、表および加法結合モジュールによって表される表現への分解を省くことができる。すなわち、分解によって生じる、仮想軸に対する付加的な要求も省かれる。
【００６４】
任意の結合モジュールの結合法則は、ＣＮＣの加工プログラムにおいて、修正または交換可能である。殊に、一連の結合トポロジーにおける結果が同一の補間周期内で矛盾無く形成される。補間と同期しているアクションによる、結合結果の後からの修正は必要ではない。とりわけ、カスケード接続された非線形の結合関数をシミュレートするのは困難である。
【００６５】
出願人は、個別に、または組み合わせて、従来技術に対して新しい場合には、この出願書類に開示された全ての特徴を、発明の本質的なものとして請求する。
【符号の説明】
【００６６】
１  加工機械、  ２，４，６，８，１６，２４  駆動部、  １０  ワークピース、歯車、  １４  工具担体、  ２０  工具、  ２２  担体、  ３０  制御装置、  ３４  位置検出装置
【図１】
2013031918.tif 000009
【図２】
2013031918.tif 000010
【図３】
2013031918.tif 000011
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
複数の駆動部（２，４，６，８，１６，２４）を備えた機械を制御する方法であって、当該複数の駆動部の各駆動部を制御し、前記複数の駆動部のうちの１つ（４，６，８）は第１のリード駆動部であり、前記複数の駆動部のうちの１つ（４，６，８）は第２のリード駆動部であり、前記複数の駆動部のうちの少なくとも１つ（１６）は従属駆動部であり、当該従属駆動部を、前記第１のリード駆動部（４，６，８）に特徴的な少なくとも１つのパラメータＭ１と、前記第２のリード駆動部（４，６，８）に特徴的なパラメータＭ２とに依存して制御し、前記従属駆動部（１６）の制御に特徴的な制御パラメータＬｖを、前記第１のパラメータＭ１と前記第２のパラメータＭ２の数学的な結合Ｆｖによって求める方法において、
前記数学的な結合Ｆｖを自由に定めることができる、
ことを特徴とする方法。
【請求項２】
前記リード駆動部（４，６，８）に特徴的な少なくとも１つのパラメータ（Ｍ１，Ｍ２）を所定の補間周期で繰り返し検出する、請求項１記載の方法。
【請求項３】
前記リード駆動部（４，６，８）に特徴的な全てのパラメータを同じ所定の補間周期で繰り返し検出する、請求項２記載の方法。
【請求項４】
少なくとも１つのパラメータは、駆動部の位置である、請求項１から３までの少なくとも１項記載の方法。
【請求項５】
前記制御パラメータＬｖを求めるために、前記特徴的なパラメータ（Ｍ１，Ｍ２）に依存しない、付加的に測定可能な量を使用する、請求項１から４までの少なくとも１項記載の方法。
【請求項６】
前記測定可能な量を量のグループから選択し、当該グループは、温度、気圧、摩耗を表す値等を含んでいる、請求項５記載の方法。
【請求項７】
前記数学的な結合Ｆｖは、ユーザーによって変更可能である、請求項１記載の方法。
【請求項８】
複数の数学的結合を、前記機械の制御に使用する、請求項１から７までの少なくとも１項記載の方法。
【請求項９】
前記制御パラメータＬｖ並びにさらなる結合を使用して、さらなる駆動部のさらなる制御パラメータを求める、請求項１から８までの少なくとも１項記載の方法。
【請求項１０】
前記機械は、ワークピース（１０）を製造するおよび／または加工する機械である、請求項１から９までの少なくとも１項記載の方法。
【請求項１１】
３つ以上のリード駆動部を設け、当該リード駆動部の特徴的なパラメータを、前記制御パラメータＬｖを求めるために数学的な結合によって結合する、請求項１から１０までの少なくとも１項記載の方法。
【請求項１２】
少なくとも１つの第１の駆動部（２，４，６，８，１６，２４）と、少なくとも１つの第２の駆動部（２，４，６，８，１６，２４）と、前記駆動部を制御する少なくとも１つの制御装置（３０）と、結合モジュールＣｖとを備えた機械（１）であって、前記複数の駆動部のうちの少なくとも２つ（４，６，８）はリード駆動部であり、前記複数の駆動部のうちの少なくとも１つ（１６）は従属駆動部であり、前記結合モジュールは、前記従属駆動部（１６）を、前記リード駆動部（４，６，８）に特徴的な、その時々の少なくとも１つのパラメータ（Ｍ１，Ｍ２）に依存して制御し、前記従属駆動部（１６）の制御に特徴的な制御パラメータＬｖは、前記第１のパラメータＭ１と前記第２のパラメータＭ２との数学的な結合Ｆｖによって求められる装置において、
前記数学的な結合Ｆｖは自由に定められる、
ことを特徴とする装置。